(57)【特許請求の範囲】
【請求項１】
装着者の腰部を覆う胴部、及び装着者の太もも部を覆うように股底部から分岐した一対の脚部を形成する本体部と、長手方向に引張り弾性を有し上記胴部及び脚部の少なくとも一部に亘って延びる左右一対の伸長性帯状構造とを備え、
上記一対の伸長性帯状構造の各々は、一対の脚部の内側部分における股底部に隣り合う部分を作用領域とし、該作用領域から前身ごろ側へ延びて上昇しつつ少なくとも上記胴部又は脚部の側部まで周回する引き上げ構造であり、
上記脚部における作用領域に隣接して股下部に、それ以外の部分よりも引張り力に対して弾性変形し難い難伸張性構造が形成され、
前記引き上げ構造は、装着状態において内転筋群に負荷をかけることにより骨盤底筋を収縮させることを特徴とするガードル。
【請求項２】
前記引き上げ構造は、内転筋群に対してかかとを支点に足の指先側が他方の足から離間しつつ回旋する方向に負荷をかけるものであることを特徴とする請求項１のガードル。
【請求項３】
前記引き上げ構造は、前記作用領域において、装着者の股下からの長さ寸法が、股下から大腿骨内側上顆までの長さ寸法の１／４〜１／２であることを特徴とする請求項１又は請求項２のガードル。
【請求項４】
装着者の腰部を覆う胴部、及び装着者の太もも部を覆うように股底部から分岐した一対の脚部を形成する本体部と、長手方向に引張り弾性を有し上記胴部及び脚部の少なくとも一部に亘って延びる左右一対の伸長性帯状構造とを備え、
上記一対の伸長性帯状構造の各々は、一対の脚部の内側部分における股底部に隣り合う部分を作用領域とし、該作用領域から前身ごろ側へ延びて上昇しつつ少なくとも上記胴部又は脚部の側部まで周回する引き上げ構造であり、
上記脚部における作用領域に隣接して股下部に、それ以外の部分よりも引張り力に対して弾性変形し難い難伸張性構造が形成されることを特徴とする骨盤底筋トレーニング用ガードル。
【請求項５】
前記引き上げ構造は、内転筋群に対してかかとを支点に足の指先側が他方の足から離間しつつ回旋する方向に負荷をかけるものであることを特徴とする請求項４の骨盤底筋トレーニング用ガードル。
【請求項６】
前記引き上げ構造は、前記作用領域において、装着者の股下からの長さ寸法が、股下から大腿骨内側上顆までの長さ寸法の１／４〜１／２であることを特徴とする請求項４又は請求項５の骨盤底筋トレーニング用ガードル。
【発明の詳細な説明】
【技術分野】
【０００１】
本発明は、身体に装着することにより骨盤底筋をトレーニングすることができるガードルに関する。
【背景技術】
【０００２】
骨盤底筋は、図１５に示すように、腹腔内臓器（膀胱、直腸、子宮など）を支えながら、尿道、肛門、膣を閉める筋の総称であり、骨盤底筋群と呼ばれることもある。加齢や出産で機能が低下すると尿失禁、便失禁、子宮脱などを生じることがある。これを治療するために試みられるのが骨盤底筋体操（訓練）である。しかし、骨盤底筋体操は正しく、長期間継続して実行しないと効果が得られない。また、骨盤底筋体操の習得には口頭説明のみでは不十分で、指導者が膣内診を行いながら骨盤底筋群の位置を認識させ、正しい収縮法を伝えることが必要となることもあり、侵襲性と心理的抵抗の面からも実施に困難性が伴う。
【０００３】
正しい骨盤底筋の収縮法の習得や、運動継続を動機付ける方法として、バイオフィードバック療法や、膣内コーンなどがあるが、いずれも器具の膣挿入が必要であり、侵襲性と心理的抵抗感を否めない。
【０００４】
骨盤底筋（肛門挙筋、尿道括約筋、肛門括約筋）は随意収縮できる筋肉であるが、誰もが容易に収縮できる訳ではない。腹圧性尿失禁女性の約30％は骨盤底筋の随意収縮ができないと言われている。
【０００５】
既存の骨盤底筋や周辺の筋力強化運動具は、膣への機器挿入が必要で侵襲性が高い（例えば、特許文献１，２）。膣への機器挿入が不要の骨盤底筋力強化具もあるが、これらは、足に装着したり、股間に挟んだり、用具の上に座るなどの構造となっており、使用しながら自由に日常生活を送ることはできない（特許文献３，４，５，６）。また、肛門付近から大腿部にかけて挟み、落下させないように肛門部の筋肉を締め、その状態で短時間保持又は歩行することで骨盤底筋が徐々に鍛えられ、尿失禁等の改善を期待できるとする発明があるが、日常生活の中で負担なく使えるものではない（特許文献７）。
【０００６】
したがって、膣挿入を伴うことなく正しく骨盤底筋を収縮させることができ、日常生活の中で負担なく使える骨盤底筋の強化手段が求められている。
【０００７】
一方、スパッツ、トレーニングパンツ等の衣類の構成面に帯状の弾性片を結合することにより、身体に装着するだけで弾性片の伸縮によるトレーニング効果を意図した提案が種々行なわれている。
【０００８】
例えば、特許文献８に示された衣類は、トレーニングによる筋力アップが困難な大腿部内転筋群または臀部外転筋の筋力強化を目的とし、衣類には強伸度の帯状部材をこれらの筋該当箇所に設けた構造となっている。そして、この強伸度の帯状部材により、目的とする筋の強化ないし維持を補助しようとするものである。
【０００９】
特許文献９に示されたガードルは、腰の歪み、腰痛、Ｏ脚の治療を目的とし、内転筋に沿って延びる前面の弾性帯と、大殿筋を持ち上げるように設けた背面の弾性帯とを設けた構造となっている。そして、弾性帯の伸縮性により、筋肉を鍛える効果を発揮するとしている。
【００１０】
特許文献１０に示された衣類（スパッツ）は、下肢部の筋肉や関節の動作をサポートし、疲労の蓄積やＯ脚の原因となる体軸に対する重心ブレに関し、そのブレを抑制することを目的とし、大殿筋及び中殿筋を通る帯状部材に強い緊締力を持たせた構造となっている。左右各２本の帯状部材は大転子で交差することにより、大転子が強い緊締力をもって加圧されて内外への回転を抑制され、重心のブレが防止されるとしている。
【先行技術文献】
【特許文献】
【００１１】
【特許文献１】特開昭６３−２８１６６２号公報
【特許文献２】特許第３４７２５５１号公報
【特許文献３】特開２００８−２９７号公報
【特許文献４】特開２００１−１０４５１５号公報
【特許文献５】実用新案登録第３１３９６２７号公報
【特許文献６】実用新案登録第３１１７９９８号公報
【特許文献７】特許第４３７２２２５号公報
【特許文献８】特開２００５−３６３５３号公報
【特許文献９】特許第４４９３０４７号公報
【特許文献１０】特開２００６−３２２１２１号公報
【発明の概要】
【発明が解決しようとする課題】
【００１２】
このように、骨盤底筋の強化を目的とするものとしては、膣挿入を伴うことなく正しく骨盤底筋を収縮させることができ、日常生活の中で負担なく使えるものが求められるにも拘わらず、適切な手段が存在しない。また、トレーニング効果を意図した衣類は、強化を目的とする筋に対して設けられた帯状弾性片を用いる構造となっており、帯状弾性片による引張り作用を中心に目的の筋の強化を図るものであり、骨盤底筋の強化及びそのための手段については何ら示していない。
【００１３】
本発明は、これら従来技術の問題を解決し、膣挿入を伴うことなく正しく骨盤底筋を収縮させることができ、日常生活の中で負担なく使える骨盤底筋の強化手段を提供することを目的とする。
【課題を解決するための手段】
【００１４】
本発明者は、上記目的を達成するため鋭意検討をした結果、ガードルに引張り弾性を有した伸長性帯状構造を設けることにより、ガードルの装着者に対し、内転筋群（特に内転筋上部、恥骨筋等）に負荷を掛ければ、これによって骨盤底筋を収縮させることができることを見出し、本発明を完成させた。この知見に基づくガードルによれば、ガードルを装着するだけで、日常的活動程度の動作によって骨盤底筋を強化することができる。
【００１５】
すなわち、本発明は、装着者の腰部を覆う胴部、及び装着者の太もも部を覆うように股底部から分岐した一対の脚部を形成する本体部と、長手方向に引張り弾性を有し上記胴部及び脚部の少なくとも一部に亘って延びる左右一対の伸長性帯状構造とを備え、上記一対の伸長性帯状構造の各々は、一対の脚部の内側部分における股底部に隣り合う部分を作用領域とし、該作用領域から前身ごろ側へ延びて上昇しつつ少なくとも上記胴部又は脚部の側部まで周回する引き上げ構造であり、前記引き上げ構造は、装着状態において内転筋群に負荷をかけることにより骨盤底筋を収縮させることを特徴とするガードルを提供するものである。
【００１６】
前記引き上げ構造は、内転筋群に対してかかとを支点に足の指先側が他方の足から離間しつつ回旋する方向に負荷をかけるものとできる。
【００１７】
前記引き上げ構造は、前記作用領域において、装着者の股下からの長さ寸法が、股下から大腿骨内側上顆までの長さ寸法の１／４〜１／２であるものが好ましい。
【００１８】
また、本発明は、装着者の腰部を覆う胴部、及び装着者の太もも部を覆うように股底部から分岐した一対の脚部を形成する本体部と、長手方向に引張り弾性を有し上記胴部及び脚部の少なくとも一部に亘って延びる左右一対の伸長性帯状構造とを備え、上記一対の伸長性帯状構造の各々は、一対の脚部の内側部分における股底部に隣り合う部分を作用領域とし、該作用領域から前身ごろ側へ延びて上昇しつつ少なくとも上記胴部又は脚部の側部まで周回する引き上げ構造であることを特徴とする骨盤底筋トレーニング用ガードルを提供する。
【００１９】
この場合も、前記引き上げ構造は、内転筋群に対してかかとを支点に足の指先側が他方の足から離間しつつ回旋する方向に負荷をかけるものとできる。
【００２０】
また、前記引き上げ構造は、前記作用領域において、装着者の股下からの長さ寸法が、股下から大腿骨内側上顆までの長さ寸法の１／４〜１／２であるものが好ましい。
【発明の効果】
【００２１】
本発明によれば、膣挿入を伴うことなく正しく骨盤底筋を収縮させることができ、日常生活の中で負担なく使える骨盤底筋の強化手段を提供することができる。
【図面の簡単な説明】
【００２２】
【図１】本発明の一実施形態に係るガードル（骨盤底筋トレーニング用ガードル）の表（おもて）面を示し、(a) は正面図、(b) は背面図である。
【図２】図１に示したガードルの裏面を示し、(a) は正面図、(b) は背面図である。
【図３】図１に示したガードルの身体装着状態を示し、(a) は正面図、(b) は側面図、(c) は背面図である。
【図４】内転筋を中心に人体の骨格及び筋肉を示す縦断正面図である。
【図５】図１に示したガードルの斜視図であり、作用領域を説明するための図である。
【図６】本発明のガードルの変形例において、ガードルの裏返状態での背面を示す簡略図である。
【図７】本発明のガードルの変形例において、ガードルの裏返状態での表（おもて）面を示す簡略図である。
【図８】本発明のガードルの他の変形例を示し、(a) は正面図、(b) は背面図である。
【図９】本発明の性能評価の実験に検体として用いた骨盤底筋トレーニング用ガードルの仕様をガードルの裏返状態で示し、各仕様(1) ，(2) の(a) は正面図、(b) は背面図である。
【図１０】図９に続く図であり、各仕様(3) ，(4) の(a) は正面図、(b) は背面図である。
【図１１】図１０に続く図であり、各仕様(5) ，(6) の(a) は正面図、(b) は背面図である。
【図１２】本発明の性能評価の実験において、筋電位測定の際に装着者がとる動作を示す図である。
【図１３】装着者の動作が骨盤底筋収縮に及ぼす影響を示すグラフである。
【図１４】本発明に関する性能評価実験の結果を示すグラフである。
【図１５】骨盤底筋を中心に示す人体（女性）の縦断側面図である。
【発明を実施するための形態】
【００２３】
以下、本発明の実施形態について添付図面を参照しつつ説明する。図面中の同一又は同種の部分については、同じ番号を付して説明を一部省略する。
【００２４】
［基本構成の例］
図１は、本発明の一実施形態に係るガードル（骨盤底筋トレーニング用ガードル）を示しており、(a) は正面図、(b) は背面図である。図２は、図１のガードルの裏面を示し、(a) は正面図、(b) は背面図、図３は、図１のガードルを身体に装着した状態を示し、(a) は正面図、(b) は側面図、(c) 背面図である。
【００２５】
この骨盤底筋トレーニング用ガードル１は、装着者の腰部を覆う胴部１１、及び装着者の太もも部を覆うように股底部から分岐した一対の脚部１２を備えた本体部１０と、長手方向に引張り弾性を有し上記胴部及び脚部の少なくとも一部に亘って延びる左右一対の伸長性帯状構造３０（帯状緊締構造）とを備えている。
【００２６】
伸長性帯状構造３０は、前身ごろ１ａに設けられている。伸長性帯状構造３０は、ガードル１の裏面に縫着されており、表面にはそのステッチ３１のみが表れている。この実施形態では、ガードル１の面全体を構成する本体部１０は、ナイロン８３％及びポリウレタン１７％からなる伸縮性のあるメッシュ生地（いわゆるパワーネット）でできており、伸長性帯状構造３０は、ナイロン７５．４％及びポリウレタン２４．６％からなる２ウェイストレッチテープとして形成されたゴム帯状緊締材でできている。これらの素材は、ガードルの寸法、用途、品質、トレーニング効果の程度等に応じて、他の種々のものを選択することができる。本体部１０の素材の伸縮性は、身体に対するフィット機能、引き締め機能を奏するように決められる。伸長性帯状構造３０の伸縮性は、本体部１０より強い弾性を示すように決められ、以下に説明する内転筋への適切な負荷が与えられるように決められる。
【００２７】
伸長性帯状構造３０は、一対の脚部１２の内側部分における股底部１５に隣り合う部分を作用領域３５とし、該作用領域３５から前身ごろ１ａ側へ延びて上昇し、胴部１１の側部に延びて、さらに、図３（ｂ）に示すように装着状態で端部が後身ごろにまで達する引き上げ構造４０となっている。この側部は、ガードルの装着状態において、人の大転子（図３（ｂ）のＰ２参照）に対応する部分である。引き上げ構造４０は、図２（ｂ）に示すように、ガードルの外側縁部１６において、上側端縁１７ａが胴部１１に位置するとともに、下側端縁１７ａも胴部１１に位置している。前身ごろ１ａには胴部１１中央に中間領域１３が形成されている。中間領域１３は、装着者への圧迫力が高くならないように柔軟性のある素材または構造で形成されたものであり、前身ごろ１ａにおいては装着者の腹部の膨らみを圧迫しないようになっている。また、中間領域がなく、本体部の素材または構造を経て引張り力を伝達し得る場合も含む。
【００２８】
引き上げ構造は、図３（ａ）に示すように、前記作用領域３５において、装着者の股下からの長さ寸法が、股下から大腿骨内側上顆までの長さ寸法の１／４となっている。すなわち、装着者（例えば、日本人女性の平均身長を有する人）が本発明のガードルを装着したときに、引き上げ構造４０の下側端縁１７ｂは、股下から大腿骨内側上顆までの１／４の場所に位置し、引き上げ構造４０が股下からこの場所までを覆うことになる。図４に示すように、人の股下から大腿骨内側上顆までの長さ寸法をＬとすると、通常股下からＬ／４までには恥骨筋が存在する。従って、引き上げ構造４０は、作用領域３５において股下からＬ／４の長さ寸法とすることにより、装着者の恥骨筋乃至その近傍を覆うことになる。
【００２９】
股底部１５は、図５に示すように、一対の脚部の内側の湾曲線Linにおける最奥部（最も胴部寄りの部分）を言い、作用領域Ｆは、一対の脚部の内側部分における股底部１５に隣り合う部分を言う。股底部は、近似的には、前身ごろと後身ごろとを重ねるようにしてガードルを平らに置いたときに、一対の脚部の内側湾曲線における最奥部に位置する部分とすることができる。作用領域の範囲は、本発明に係るガードルの機能上必要とされる伸長性帯状構造の幅を受け入れる範囲である。また、「股底部に隣り合う部分」というのは、股底部１５に接する領域Ｆ１の他、股底部１５から脚部延在方向及び／またはこれを横切る方向に間隔をおいた近傍領域Ｆ２も含む。
【００３０】
この実施形態に係る骨盤底筋トレーニング用ガードル１は、以下のように使用されて効果を発揮する。
【００３１】
ガードル１は、図３に示すように通常通りに身体に装着する。この装着状態において、引き上げ構造４０は、作用領域３５から前身ごろ１ａ側へ延びて上昇しつつガードルの側部を周回した状態となる。これにより、引き上げ構造は、内転筋群に負荷を掛ける。発明者の知見によれば、以下の実験例から明らかなように、この負荷を通じて骨盤底筋を収縮させることができる。その結果、ガードル１を装着すれば、日常的活動程度の動作によって骨盤底筋を強化することができる。
【００３２】
すなわち、作用領域３５に作用する弾性力は、後述する実験例から明らかなように、作用領域３５において、かかとを支点に足の指先側が他方の足から離間しつつ回旋する方向に作用する（以下、外旋という）。装着者はこれに対し、多くの場合無意識的に戻そうとする、つまり、かかとを支点に足の指先側が他方の足に近接しつつ回旋することになる（以下、内旋という）。この内旋運動に伴って内転筋群に負荷がかかる。内転筋群（特に、上部に位置する短内転筋や恥骨筋等）は骨盤底筋に近接し、内旋運動にて内転筋群に負荷をかけることにより、骨盤底筋を間接的に収縮させることができると考えられる。従って、本発明のガードルを使用することにより骨盤底筋を収縮させることができて、日常的活動程度の動作によって骨盤底筋を強化することができる。しかも、本発明のガードルは、骨盤底筋に間接的に負荷を作用させるものであるため、骨盤底筋に過大な負担をかけることはない。これにより、骨盤底筋の疲労を防止することができるため、装着者の使用負担が緩和されて長時間使用しやすいものとなる。
【００３３】
さらに、本実施形態では、引き上げ構造４０は作用領域において股下からＬ／４までの長さ寸法を有するものであり、恥骨筋を覆う。従って、引き上げ構造４０は、特に恥骨筋近傍の着圧を高めることができ、恥骨筋に効果的に負荷をかけることができる。このようにして、本発明のガードルは骨盤底筋を効果的に収縮させることができ、これによる強化作用が確実に得られるのである。
【００３４】
このようにして、本実施形態に係る骨盤底筋トレーニング用ガードルによれば、身体に装着して日常生活を負担なく過ごしながら、正しく骨盤底筋を強化することができる。
【００３５】
なお、引き上げ構造４０は、少なくとも側部（大転子に対応する部分）にまで延びていればよく、装着状態で引き上げ構造４０の端部が後身ごろ１ｂにまで達しないものであってもよい。また、引き上げ構造４０が後身ごろ１ｂにまで達する場合、さらに後身ごろ１ｂを延びる延長部分を有するものとしてもよい。例えば、図６（ａ）に示すように、延長部分の端部は後身ごろ１ｂに位置するものであり、夫々の引き上げ構造４０の延長部分を不連続なものとすることができる。また、図６（ｂ）に示すように、夫々の引き上げ構造４０の延長部分が背部中央で山形形状となるように連続するものとしてもよい。図６（ｃ）に示すように、夫々の引き上げ構造４０の延長部分の端部が、胴部１１の開口部に位置するものであってもよい。さらには、図６（ｄ）に示すように、夫々の引き上げ構造４０の延長部分が背部中央で１本の直線状となるように連続するものとしてもよい。
【００３６】
引き上げ構造４０の傾斜角度は、図７に示すように種々のものとできる。すなわち、図７（ａ）のように、ガードルの外側縁部１６において、上側端縁１７ａが胴部１１に位置するとともに、下側端縁１７ｂが脚部１２に位置するものとしたり、図７（ｂ）のように外側縁部１６において、上側端縁１７ａが脚部１２に位置するとともに、下側端縁１７ｂが脚部１２に位置するものとしたりできる。
【００３７】
さらに、前面を引き上げる引き上げ構造４０（以下、前面引き上げ構造とよぶこともある）に加えて、図８に示すような後面引き上げ構造５０や太もも部螺旋構造７０を備えていてもよい。すなわち、図８（ａ）に示すように、後面引き上げ構造５０は、作用領域３５において前面引き上げ構造４０と隣接し該作用領域から後身ごろ１ｂ側へ延びて上昇しつつガードルの側部を周回する。前面引き上げ構造４０は、図８(b) に示すように、後身ごろ１ｂにおいて弾性に基づく引張り力を伝達し得るように相互に結合されている。また、後面引き上げ構造５０は、図８(a) に示すように、前身ごろ１ａにおいて弾性に基づく引張り力を伝達し得るように相互に結合されている。一対の後面引き上げ構造５０は、前記した中間領域１３を介して、弾性に基づく引張り力を伝達し得るように相互に結合されている。前面引き上げ構造及び後面引き上げ構造について、一対の引き上げ構造が「弾性に基づく引張り力を伝達し得るように相互に結合されている」というのは、一対の引き上げ構造が直接結合されている場合の他、間に上記中間領域１３等の補強構造が介在している場合も含み、後者の場合は、結合された補強構造を介して弾性に基づく引張り力を伝達できればよい。また、中間領域がなく、本体部の素材または構造を経て引張り力を伝達し得る場合も含む。
【００３８】
また、後面引き上げ構造５０を備える場合、一対の後面引き上げ構造５０の周回端部同士が前身ごろ１ａで中間領域１３を介して結合され、前面引き上げ構造４０の上端が前身ごろ１ａにおいて後面引き上げ構造５０に接続されていてもよい（後述の実験例の検体３のような形態）。このように、前面引き上げ構造の「周回」とは、前面引き上げ構造と後面引き上げ構造との側部での結合も含まれる。
【００３９】
これにより、後面引き上げ構造５０は、臀部を引き上げるように作用し、肛門括約筋に負荷を掛け、これを通じて骨盤底筋を収縮させることができる。このような構成とすれば、ガードル１を装着することにより、日常的活動程度の動作によって骨盤底筋を一層強化することができる。
【００４０】
太もも部螺旋構造７０は、作用領域３５から前身ごろ１ａ側へ延びて下降しつつガードルの側部を周回する。太もも部螺旋構造７０は、後述する実験例から明らかなように、脚部の外転動作時に骨盤底筋の収縮を促すように作用する。したがって、ガードルの装着者は、意識的にまたは無意識的に、外旋を伴う動作を繰り返し行なうことにより、骨盤底筋を強化することができる。
【００４１】
［実験例］
次に、発明者が内転筋への負荷と骨盤底筋の収縮との関係を見出すに至った実験例について説明する。以下に、実験に用いたガードルの仕様及びその性能評価について記載する。
【００４２】
(1) ガードルの仕様
実験に用いた検体の概略図を図９〜図１１に示し、各検体の仕様（構造要素）を表１に示し、その詳細を説明する。表中の項目は、以下の仕様を示している。
「引き上げ構造」：長手方向に引張り弾性を有する伸長性帯状構造の内、少なくとも前面引き上げ構造を備えたものであり、前面引き上げ構造のみ、又は前面引き上げ構造と後面引き上げ構造と組み合わせ。
「難伸長性構造」：引張り力に対して弾性変形し難い構造であり、作用領域に隣接して股下部に設けられる。例えば、前面引き上げ構造４０が、作用領域３５に隣接する部分において、同様の素材からなる伸長性構造と重なり合い、その重なり部は、相互に重なり合うこと、及び引張り弾性方向が異なることにより、引張り力に対して変形し難い構造。
「背部中央縫合」：前面引き上げ構造の背部での結合。
「太もも部螺旋構造」：作用領域から前身ごろ側へ延びて下降しつつガードルの側部を螺旋状に周回する構造。
「本体部素材」：ガードルの胴部及び脚部を形成する本体部の素材。
「メッシュ」：ナイロン８３％、ポリウレタン１７％からなる素材（東洋紡エスパ  パワーネットＴ７３８１）
「光沢」：ナイロン８０％、ポリウレタン２０％からなる素材（ナイロン２ＷＡＹ  Ｔ６００８）
「混合綿」：ポリエステル６５％、綿３５％からなる素材
【表１】
0005859192.tif 000002
【００４３】
表１の検体１〜６及びブランクは以下の形態となっている。
(i) 検体１：図９(1)
・一対の前面引き上げ構造４０の周回端部同士が後身ごろ１ｂで結合され背部中央縫合を形成し、一対の後面引き上げ構造５０の周回端部同士が前身ごろ１ａで中間領域１３を介して結合されている。これらの結合は、前面引き上げ構造及び後面引き上げ構造が、当該構造の弾性に基づく引張り力を相互間で伝達し得るように行なわれている。中間領域１３は、装着者への圧迫力が高くならないように、本体部１０と同等またはより低い引張り弾性係数を有するものとなっている（以下の検体においても同様）。
・太もも部螺旋構造７０は、前身ごろ１ａから後身ごろ１ｂへ周回し、周回端部が前面引き上げ構造４０の下部部分４１の近傍に結合されている。
・前面引き上げ構造４０及び太もも部螺旋構造７０は、作用領域３５に隣接する部分において重なり合っている。両構造４０，７０の重なり部は、相互に重なり合うこと、及び引張り弾性方向が異なることにより、引張り力に対して変形し難い難伸長性構造６０を形成している。
【００４４】
(ii) 検体２：図９(2)
・前面引き上げ構造４０の周回端部と、後面引き上げ構造５０の周回端部とが、胴部１０の側部（後身ごろ１ｂ側）で結合されている。一対の後面引き上げ構造５０の周回端部同士が前身ごろ１ａで中間領域１３を介して結合されている。
・背部中央縫合を備えていない。
・太もも部螺旋構造７０は、前身ごろ１ａから後身ごろ１ｂへ周回し、周回端部が前面引き上げ構造４０の下部部分４１の近傍に結合されている。
・前面引き上げ構造４０及び太もも部螺旋構造７０は、作用領域３５に隣接する部分において重なり合っている。両構造４０，７０の重なり部は、相互に重なり合うこと、及び引張り弾性方向が異なることにより、引張り力に対して変形し難い難伸長性構造６０を形成している。
【００４５】
(iii) 検体３：図１０(3)
・一対の後面引き上げ構造５０の周回端部同士が前身ごろ１ａで中間領域１３を介して結合され、前面引き上げ構造４０の上端が前身ごろ１ａにおいて後面引き上げ構造５０に接続されている。前面引き上げ構造の「周回」とは、この検体３のように前面引き上げ構造４０と後面引き上げ構造５０との側部での結合も含む。
・背部中央縫合を備えていない。
・太もも部螺旋構造７０は、前身ごろ１ａから後身ごろ１ｂへ周回し、周回端部が前面引き上げ構造４０の下部部分４１の近傍に結合されている。
・前面引き上げ構造４０及び太もも部螺旋構造７０は、作用領域３５に隣接する部分において重なり合い、難伸長性構造６０を形成している。
【００４６】
(iv) 検体４：図１０(4)
・一対の前面引き上げ構造４０の周回端部同士が後身ごろ１ｂで結合され背部中央縫合を形成し、一対の後面引き上げ構造５０の周回端部同士が前身ごろ１ａで中間領域１３を解して結合されている。
・太もも部螺旋構造７０は、設けられていない。
【００４７】
(v) 検体５：図１１(5)
・一対の前面引き上げ構造４０の周回端部同士が後身ごろ１ｂで結合され背部中央縫合を形成し、一対の後面引き上げ構造５０の周回端部同士が前身ごろ１ａで中間領域１３を解して結合されている。
・太もも部螺旋構造７０は、設けられていない。
・前面引き上げ構造４０は、作用領域３５に隣接する部分において、同様の素材からなる伸長性構造と重なり合い、その重なり部は、相互に重なり合うこと、及び引張り弾性方向が異なることにより、引張り力に対して変形し難い難伸長性構造６０を形成している。
【００４８】
(vi) 検体６：図１１(6)
・一対の前面引き上げ構造４０の周回端部同士が後身ごろ１ｂで結合され背部中央縫合を形成している。
・後面引き上げ構造５０は、設けられていない。
・太もも部螺旋構造７０は、設けられていない。
【００４９】
（vii）比較検体１
メッシュ素材にて構成されたガードルである。前面引き上げ構造４０、後面引き上げ構造５０、及び太もも部螺旋構造７０のいずれも設けられていない。
【００５０】
（viii）ブランク
綿素材にて構成されたショーツである。前面引き上げ構造４０、後面引き上げ構造５０、及び太もも部螺旋構造７０のいずれも設けられていない。
【００５１】
(2) 性能評価
上記検体について、以下の性能評価を行なった。
(2-1) 官能評価
官能評価：  女性７名に全ての検体をはかせ、装着感を５段階評価した数値の平均値を求めた。
(2-2) 着圧
マネキンに着圧測定プローブを固定した後に、検体をはかせ、各部位における着圧を測定した。
使用機器：ハンディ接触圧計  株式会社エイエムアイ・テクノ製
測定部位：股下、腹部、おしり、大転子部分等、図３のＰ１〜Ｐ８に示す部位。但し、以下の評価結果には、実験の進行に伴って骨盤底筋の収縮との関係性が予測されるに至った腹部着圧Ｐ１及び股下着圧Ｐ４のみを記載する。
(2-3) 筋電位
筋電計を装着し、その上から検体のガードルをはいて各種運動をした時の筋電位を測定した。筋電計は膣内に装着しているので、その測定値は骨盤底筋力の強弱を明確に反映している。
使用機器：フェミスキャン  クリニックシステム仕様（販売元  株式会社メディカル・タスクフォース）
測定条件：次の動作における筋収縮力：安静位、通常歩行時、がに股歩行時、通常の立位、内股にした立位、外転、外寄り旋回運動、内寄り旋回運動
これらの内、(a) 股締め歩行、(b) がに股歩行、(c) 外転、(d) 外寄り旋回運動、(e) 内寄り旋回運動の状態を図１２に示す。
【００５２】
(3) 評価結果
官能評価及び着圧の評価結果を表２、筋電位の評価結果を表３に示す。
【表２】
0005859192.tif 000003
【表３】
0005859192.tif 000004
【００５３】
検体１〜６の仕様（構造要素）が評価項目（官能評価、着圧、筋電位）に与える影響の強さを比較するために、回帰分析を行ない、重相関Ｒ、係数、Ｐ−値を求めた。その結果を表４及び表５に示す。
【表４】
0005859192.tif 000005
【表５】
0005859192.tif 000006
【００５４】
上記の関係に関し、表４の官能評価の結果は、骨盤底筋の収縮に対応する官能評価項目として「股下締め感」、「外股効果」、「膣締まり感」を挙げている。これらの項目と高い相関を有する仕様（構造要素）は、「引き上げ構造」であり、特に、前面引き上げ構造が、これらの項目に高い相関を有することが確かめられた。
【００５５】
図１３は、表３に基づいて、前記各動作が骨盤底筋収縮に及ぼす影響を集計した結果を示すグラフである。図１３から、以下の関係を導き出すことができる。
(a) 通常歩行と足の旋回運動は、特に強く骨盤底筋の収縮を促進する。特に、外寄り旋回運動は、内寄り旋回運動よりも強く骨盤底筋の収縮を促進する。
(b) 立位でも、内股に力が入るように意識すると骨盤底筋収縮が促進される。
【００５６】
図１４は、この実験において測定した筋電位（膣内挿入による測定）及び股下着圧（難伸長性構造での圧力）を、表３に基づいて集計した結果を示すグラフである。このグラフから、検体１〜６は比較検体１及びブランクに対して筋電位及び股下着圧の双方において、明らかに高い数値を示している。また、表５から筋電位と股下着圧とは高い相関関係を示している。そして、筋電位は骨盤底筋の収縮度に対応し、股下着圧は内転筋への負荷に対応している。すなわち、検体Ｆのように、少なくとも前面に引き上げ構造を備えたものでも高い筋電位を示していることから、前面における引き上げ構造は内転筋群に負荷をかけて外旋運動を促進し、これによって骨盤底筋の収縮に影響を与えることがわかった。したがって、上記相関は、内転筋に負荷を掛ければ、骨盤底筋を収縮させることができることを示していると言えるのであり、これが本発明を完成させるに至った知見となった。
【００５７】
以上、本発明の実施形態及び実験例について説明したが、本発明はこれに限定されるものではなく、その趣旨を逸脱しない限りにおいて種々の変更が可能である。例えば、難伸長性構造は、引張り力に対して弾性変形し難い他の部材によって形成することもできる。
【００５８】
前記引き上げ構造は、作用領域において、装着者の股下からの長さ寸法が、股下から大腿骨内側上顆までの長さ寸法の１／３となるものとしてもよい。通常股下からＬ／３（図３及び図４参照）までには短内転筋が存在する。従って、引き上げ構造は、作用領域において股下からＬ／３の長さ寸法とすることにより、装着者（例えば、日本人女性の平均身長を有する人）の短内転筋乃至その近傍を覆うことになるため、短内転筋近傍の着圧を高めることができて、短内転筋に効果的に負荷をかけることができる。
【００５９】
また、前記引き上げ構造は、作用領域において、装着者の股下からの長さ寸法が、股下から大腿骨内側上顆までの長さ寸法の１／２となるものとしてもよい。通常股下からＬ／２（図３及び図４参照）までには内転筋群が存在する。従って、引き上げ構造は、作用領域において股下からＬ／２の長さ寸法とすることにより、装着者（例えば、日本人女性の平均身長を有する人）の内転筋群乃至その近傍を覆うことになるため、恥骨筋近傍の着圧を高めることができて、恥骨筋に効果的に負荷をかけることができる。
【００６０】
前記実施形態及び実験例では、伸長性帯状構造３０は、ガードル１の裏面に縫着されたものであったが、伸張性帯状構造３０をガードル１の表面に縫着してもよく、さらには、表面と裏面との両面に縫着してもよい。また、本発明の対象は、ガードルの他、スパッツ、タイツ、パンティストッキング、ボディスーツ、ズボン等の下衣とすることもできる。
【符号の説明】
【００６１】
１：  ガードル
１０：本体部
１１：胴部
１２：脚部
１５：股底部
３０：伸長性帯状構造
３５：作用領域
４０：前面引き上げ構造
５０：後面引き上げ構造
６０：難伸長性構造
７０：太もも部螺旋構造
【図１】
0005859192.tif 000007
【図２】
0005859192.tif 000008
【図３】
0005859192.tif 000009
【図４】
0005859192.tif 000010
【図５】
0005859192.tif 000011
【図６】
0005859192.tif 000012
【図７】
0005859192.tif 000013
【図８】
0005859192.tif 000014
【図９】
0005859192.tif 000015
【図１０】
0005859192.tif 000016
【図１１】
0005859192.tif 000017
【図１２】
0005859192.tif 000018
【図１３】
0005859192.tif 000019
【図１４】
0005859192.tif 000020
【図１５】
0005859192.tif 000021